(57)【要約】【課題】いつでも手元のドキュメントを読み取って、手軽に画像形成装置でコピーしたりできるようにする。【解決手段】メガネ型端末１は、操作指示とジェスチャーを対応付けて記憶する設定記憶部１２１と、ユーザーの前方視界の画像を撮像する視界撮像部１１と、撮像された画像に基づいてジェスチャーを認識することで、操作指示を受け付ける操作受付部１４２と、操作受付部１４２で受け付けられた操作指示がドキュメントの読取指示である場合に、画像から印刷物を検出してドキュメント画像として切り出すドキュメント切出部１４３と、切り出されたドキュメント画像を記憶するドキュメント記憶部１２３と、記憶されたドキュメント画像を通信部１３経由で画像形成装置に送信する送信処理部１４４とを備えている。【選択図】図２
2018067875.tif 000002
【特許請求の範囲】
【請求項１】
画像形成装置と無線通信する通信部を有し、ユーザーが装着するメガネ型端末であって、
操作指示とジェスチャーを対応付けて記憶する設定記憶部と、
前記ユーザーの前方視界の画像を撮像する視界撮像部と、
撮像された前記画像に基づいて前記ジェスチャーを認識することで、前記操作指示を受け付ける操作受付部と、
前記操作受付部で受け付けられた操作指示がドキュメントの読取指示である場合に、前記画像から印刷物を検出してドキュメント画像として切り出すドキュメント切出部と、
切り出された前記ドキュメント画像を記憶するドキュメント記憶部と、
記憶された前記ドキュメント画像を前記通信部経由で前記画像形成装置に送信する送信処理部とを
備えたことを特徴とするメガネ型端末。
【請求項２】
前記送信処理部は、
前記画像形成装置が前記通信部の通信圏外である場合、未送信の前記ドキュメント画像を前記ドキュメント記憶部に保管しておき、前記画像形成装置が前記通信部の通信圏内になったときに、前記ドキュメント記憶部から未送信の前記ドキュメント画像を前記画像形成装置に送信する
ことを特徴とする請求項１に記載のメガネ型端末。
【請求項３】
前記操作指示に対応付ける前記ジェスチャーの登録を受け付けるジェスチャー登録部を
備えたことを特徴とする請求項１又は２に記載のメガネ型端末。
【請求項４】
前記操作指示は、自端末に対する前記読取指示と共に、前記画像形成装置に対する前記ドキュメント画像の印刷指示を含む場合があり、
前記送信処理部は、
前記操作指示が前記印刷指示を含んでいる場合、記憶された前記ドキュメント画像と共に前記印刷指示を前記画像形成装置に送信する
ことを特徴とする請求項１から３までのいずれか１項に記載のメガネ型端末。
【請求項５】
前記操作指示は、自端末に対する前記読取指示と共に、前記画像形成装置に対する前記ドキュメント画像の保存指示を含む場合があり、
前記送信処理部は、
前記操作指示が前記保存指示を含んでいる場合、記憶された前記ドキュメント画像と共に前記保存指示を送信する
ことを特徴とする請求項１から４までのいずれか１項に記載のメガネ型端末。
【請求項６】
印刷部を有する画像形成装置と、該画像形成装置と無線通信する通信部を有し、ユーザーが装着するメガネ型端末とを備えた画像形成システムであって、
前記メガネ型端末は、
操作指示とジェスチャーを対応付けて記憶する設定記憶部と、
前記ユーザーの前方視界の画像を撮像する視界撮像部と、
撮像された前記画像に基づいて前記ジェスチャーを認識することで、前記操作指示を受け付ける操作受付部と、
前記操作受付部で受け付けられた操作指示がドキュメントの読取指示である場合に、前記画像から印刷物を検出してドキュメント画像として切り出すドキュメント切出部と、
切り出された前記ドキュメント画像を記憶するドキュメント記憶部と、
記憶された前記ドキュメント画像を前記通信部経由で前記画像形成装置に送信する送信処理部とを有し、
前記画像形成装置は、
前記メガネ型端末から受信する前記ドキュメント画像を処理する
ことを特徴とする画像形成システム。
【請求項７】
前記操作指示は、前記メガネ型端末に対する前記読取指示と共に、前記画像形成装置に対する前記ドキュメント画像の印刷指示を含む場合があり、
前記送信処理部は、
前記操作指示が前記印刷指示を含んでいる場合、記憶された前記ドキュメント画像と共に前記印刷指示を前記画像形成装置に送信し、
前記画像形成装置の前記印刷部は、
前記メガネ型端末から前記ドキュメント画像と共に前記印刷指示を受信した場合に、前記印刷指示に基づいて前記ドキュメント画像を印刷する
ことを特徴とする請求項６に記載の画像形成システム。
【請求項８】
前記操作指示は、前記メガネ型端末に対する前記読取指示と共に、前記画像形成装置に対する前記ドキュメント画像の保存指示を含む場合があり、
前記送信処理部は、
前記操作指示が前記保存指示を含んでいる場合、記憶された前記ドキュメント画像と共に前記保存指示を送信し、
前記画像形成装置は、
前記メガネ型端末から前記ドキュメント画像と共に前記保存指示を受信した場合に、前記保存指示に基づいて前記ドキュメント画像を特定形式の電子ファイルに変換する画像変換部と、
該画像変換部によって変換された前記電子ファイルを記憶する記憶部とを有する
ことを特徴とする請求項６又は７に記載の画像形成システム。
【発明の詳細な説明】
【技術分野】
【０００１】
本発明は、画像形成装置と無線通信する通信部を有し、ユーザーが装着するメガネ型端末及び画像形成システムに関する。
【背景技術】
【０００２】
近年、カメラが撮影者のジェスチャーを認識して自動的に撮影する技術が提案されている（例えば、特許文献１、２を参照）。特許文献１に開示の技術では、撮影者がメガネ型のカメラを装着すると共に、カメラを制御するリモコンを手首に装着しており、リモコンが検出する撮影者の手の動きに基づいてカメラの撮影動作を制御することで、撮影者の顔の向きと同じ方向を撮影することができる。特許文献２に開示の技術では、リモコンが不要であり、撮影の指示者である被撮影者が、三脚に固定したカメラに対してジェスチャーを行うことで、自動的に撮影が行われる。
【先行技術文献】
【特許文献】
【０００３】
【特許文献１】特開２０００−１３８８５８号公報
【特許文献２】特開２００５−０５１４７２号公報
【発明の概要】
【発明が解決しようとする課題】
【０００４】
ところで、手元のドキュメントをコピーしたくても、近くに複写機がなかったり、ドキュメントがステープル付きだったりして、手軽にコピーできないことがある。しかしながら、従来の技術では、カメラでドキュメントを撮影したとしても、カメラが画像形成装置と連携していなかったため、手元のドキュメントを手軽に画像形成装置でコピーしたりすることができなかったという問題があった。
【０００５】
本発明は上記課題に鑑みてなされたものであり、いつでも手元のドキュメントを読み取って、手軽に画像形成装置でコピーしたりすることができる技術を提供することを目的とする。
【課題を解決するための手段】
【０００６】
本発明のメガネ型端末は、画像形成装置と無線通信する通信部を有し、ユーザーが装着するメガネ型端末であって、操作指示とジェスチャーを対応付けて記憶する設定記憶部と、前記ユーザーの前方視界の画像を撮像する視界撮像部と、撮像された前記画像に基づいて前記ジェスチャーを認識することで、前記操作指示を受け付ける操作受付部と、前記操作受付部で受け付けられた操作指示がドキュメントの読取指示である場合に、前記画像から印刷物を検出してドキュメント画像として切り出すドキュメント切出部と、切り出された前記ドキュメント画像を記憶するドキュメント記憶部と、記憶された前記ドキュメント画像を前記通信部経由で前記画像形成装置に送信する送信処理部とを備えたことを特徴とする。
また、前記送信処理部は、前記画像形成装置が前記通信部の通信圏外である場合、未送信の前記ドキュメント画像を前記ドキュメント記憶部に保管しておき、前記画像形成装置が前記通信部の通信圏内になったときに、前記ドキュメント記憶部から未送信の前記ドキュメント画像を前記画像形成装置に送信してもよい。
また、前記操作指示に対応付ける前記ジェスチャーの登録を受け付けるジェスチャー登録部を備えてもよい。
また、前記操作指示は、自端末に対する前記読取指示と共に、前記画像形成装置に対する前記ドキュメント画像の印刷指示を含む場合があり、前記送信処理部は、前記操作指示が前記印刷指示を含んでいる場合、記憶された前記ドキュメント画像と共に前記印刷指示を前記画像形成装置に送信してもよい。
前記操作指示は、自端末に対する前記読取指示と共に、前記画像形成装置に対する前記ドキュメント画像の保存指示を含む場合があり、前記送信処理部は、前記操作指示が前記保存指示を含んでいる場合、記憶された前記ドキュメント画像と共に前記保存指示を送信してもよい。
また、本発明の画像形成システムは、印刷部を有する画像形成装置と、該画像形成装置と無線通信する通信部を有し、ユーザーが装着するメガネ型端末とを備えた画像形成システムであって、前記メガネ型端末は、操作指示とジェスチャーを対応付けて記憶する設定記憶部と、前記ユーザーの前方視界の画像を撮像する視界撮像部と、撮像された前記画像に基づいて前記ジェスチャーを認識することで、前記操作指示を受け付ける操作受付部と、前記操作受付部で受け付けられた操作指示がドキュメントの読取指示である場合に、前記画像から印刷物を検出してドキュメント画像として切り出すドキュメント切出部と、切り出された前記ドキュメント画像を記憶するドキュメント記憶部と、記憶された前記ドキュメント画像を前記通信部経由で前記画像形成装置に送信する送信処理部とを有し、前記画像形成装置は、前記メガネ型端末から受信する前記ドキュメント画像を処理することを特徴とする。
また、前記操作指示は、前記メガネ型端末に対する前記読取指示と共に、前記画像形成装置に対する前記ドキュメント画像の印刷指示を含む場合があり、前記送信処理部は、前記操作指示が前記印刷指示を含んでいる場合、記憶された前記ドキュメント画像と共に前記印刷指示を前記画像形成装置に送信し、前記画像形成装置の前記印刷部は、前記メガネ型端末から前記ドキュメント画像と共に前記印刷指示を受信した場合に、前記印刷指示に基づいて前記ドキュメント画像を印刷してもよい。
また、前記操作指示は、前記メガネ型端末に対する前記読取指示と共に、前記画像形成装置に対する前記ドキュメント画像の保存指示を含む場合があり、前記送信処理部は、前記操作指示が前記保存指示を含んでいる場合、記憶された前記ドキュメント画像と共に前記保存指示を送信し、前記画像形成装置は、前記メガネ型端末から前記ドキュメント画像と共に前記保存指示を受信した場合に、前記保存指示に基づいて前記ドキュメント画像を特定形式の電子ファイルに変換する画像変換部と、該画像変換部によって変換された前記電子ファイルを記憶する記憶部とを有してもよい。
【発明の効果】
【０００７】
本発明によれば、いつでも手元のドキュメントを読み取って、手軽に画像形成装置でコピーしたりすることができる。
【図面の簡単な説明】
【０００８】
【図１】本発明に係る実施形態の画像形成システムのシステム構成図である。
【図２】図１に示すメガネ型端末の構成を示す機能ブロック図である。
【図３】図２に示すジェスチャー登録情報の登録例である。
【図４】図１に示す画像形成装置の構成を示す機能ブロック図である。
【図５】図２に示すメガネ型端末のジェスチャー認識動作の流れを示すフローチャートである。
【図６】図２に示すメガネ型端末のジェスチャー認識動作のイメージ図である。
【図７】メガネ型端末がドキュメントデータを画像形成装置に送信する処理の流れを示すフローチャートである。
【図８】報知部を備えたメガネ型端末の外観図である。
【発明を実施するための形態】
【０００９】
以下、図を参照して本発明の実施形態を詳細に説明する。なお、以下の実施形態において、同様の機能を示す構成には、同一の符号を付してある。
【００１０】
本実施の形態の画像形成システム１００は、図１に示すように、メガネ型端末１と、画像形成装置２とを備えている。画像形成装置２は、プリンター、複写機、複合機等の画像形成機能を有する装置である。メガネ型端末１は、画像形成装置２で印刷したり保存したりする画像データを取得して無線通信により画像形成装置２に送信する装置である。
【００１１】
メガネ型端末１は、ユーザーが頭部に装着するメガネ型のウェアラブル端末である。図２に示すように、メガネ型端末１は、視界撮像部１１と、記憶部１２と、通信部１３と、制御部１４とを備えている。
【００１２】
視界撮像部１１は、図１に示すように、メガネ型端末１の前方側に向けて配置されたＣＣＤカメラやＣＭＯＳカメラ等の固体撮像素子で構成されたカメラであり、ユーザーの前方視界の画像（カラー）を撮像する。視界撮像部１１は、メガネ型端末１の電源がＯＮになると、撮影を開始してもよいし、メガネ型端末１に設けられた不図示の撮影開始ボタンが操作されると、撮影を開始してもよい。以下、視界撮像部１１によって撮像された画像を視界画像（図６を参照）８０と称す。
【００１３】
記憶部１２は、半導体メモリー（例えば、フラッシュメモリー）等の記憶手段である。記憶部１２は、ジェスチャー登録情報１２２を記憶する設定記憶部１２１として機能すると共に、画像形成装置２に送信するドキュメントデータ１２４を記憶するドキュメント記憶部１２３として機能する。
【００１４】
図３に示すように、ジェスチャー登録情報１２２は、操作指示とジェスチャーとを対応付けて登録している。例えば、図３に示すジェスチャー登録情報１２２の登録例では、「動作開始」を指示する操作に、図６（ａ）に示す略○状を描くジェスチャー８１が割り当てられ、「動作終了」を指示する操作に、図６（ｄ）に示す略□状を描くジェスチャー８１が割り当てられている。また、「読取：印刷（モノクロ）」を指示する操作に、図６（ｃ）に示す略レ点状を描くジェスチャー８１が割り当てられ、「読取：保存（カラー）」を指示する操作に、図６（ｂ）に示す略△状を描くジェスチャー８１が割り当てられている。
【００１５】
「動作開始」は、後述するドキュメント切出部１４３に対してドキュメント（図６を参照）８２の検出処理を開始させることができる操作である。「動作終了」は、後述するドキュメント切出部１４３に対してドキュメント８２の検出処理を終了させることができる操作である。
【００１６】
「読取：印刷（モノクロ）」は、ドキュメント切出部１４３に対してドキュメント８２の「読取」を指示する操作（読取指示）と、画像形成装置２に対してドキュメント切出部１４３が読み取ったドキュメント８２の「印刷（モノクロ）」を指示する操作（印刷指示）との２つの操作を含んでいる。「読取：保存（カラー）」は、ドキュメント切出部１４３に対してドキュメント８２の「読取」を指示する操作と、画像形成装置２に対してドキュメント切出部１４３が読み取ったドキュメント８２の「保存（カラー）」を指示する操作（保存指示）との２つの操作を含んでいる。
【００１７】
「印刷（モノクロ）」の操作指示は、画像形成装置２に対する印刷設定を含んでおり、例えば、Ａ４の用紙サイズにモノクロでドキュメント画像を印刷することができる。「保存（カラー）」の操作指示は、画像形成装置２に対する保存設定を含んでおり、例えば、ドキュメント画像をユーザーが予め指定した特定形式（ｊｐｅｇ、ｇｉｆ、ｐｄｆ等）のカラー画像の電子ファイルに変換して画像形成装置２の記憶部２３に保存することができる。この他にも、画像形成装置２に対する操作指示として、ドキュメント画像を特定の宛先（例えばメガネ型端末１を装着しているユーザー）に電子メールで送信させたり、通信部２６に接続された特定のサーバーにアップロードさせてもよい。
【００１８】
通信部１３は、Ｂｌｕｅｔｏｏｔｈ（登録商標）やＷｉ−Ｆｉ（登録商標）、ＮＦＣ（Ｎｅａｒ  Ｆｉｅｌｄ  Ｃｏｍｍｕｎｉｃａｔｉｏｎ）等の無線通信によって、画像形成装置２と各種データを送受信する機能を有する。通信部１３は、画像形成装置２との接続設定が済んでいるものとする。
【００１９】
制御部１４は、視界撮像部１１、記憶部１２と、通信部１３とにそれぞれ接続され、メガネ型端末１全体の動作制御を実行する。制御部１４は、ＣＰＵ（Central Processing Unit）、ＲＯＭ（Read Only Memory）、ＲＡＭ（Random Access Memory）等を備えたマイクロコンピュータ等の情報処理部である。ＲＯＭにはメガネ型端末１の動作制御を行うための制御プログラムが記憶されている。制御部１４のＣＰＵは、ＲＯＭに記憶されている制御プログラムを読み出し、制御プログラムをＲＡＭに展開させることで、端末全体の制御を行う。また、制御部１４は、ジェスチャー登録部１４１と、操作受付部１４２と、ドキュメント切出部１４３と、送信処理部１４４としてそれぞれ機能する。
【００２０】
ジェスチャー登録部１４１は、操作指示に対応付けるジェスチャーの登録を受け付ける機能を有し、受け付けたジェスチャーをジェスチャー登録情報１２２に登録する。例えば、ジェスチャー登録部１４１は、通信部１３経由でＷｅｂブラウザからユーザーによるジェスチャーの登録を受け付けてもよいし、不図示のＵＳＢ端子等を介してユーザーによる登録操作を受け付けてもよい。
【００２１】
操作受付部１４２は、視界画像８０に基づいてユーザーのジェスチャー８１を認識するジェスチャー認識処理を実行し、認識したジェスチャー８１に対応する操作指示を受け付ける機能を有する。ジェスチャー認識処理では、操作受付部１４２は、例えば公知の画像認識技術を用いて、単位時間当たりの視界画像８０のそれぞれから図６に示すようなユーザーの指先８３（手でもよい）を検出する。そして、操作受付部１４２は、検出した指先８３の軌跡を図２に示すジェスチャー登録情報１２２に登録されているジェスチャーと照合することで、ユーザーのジェスチャー８１を認識する。ジェスチャー８１を認識すると、操作受付部１４２は、ジェスチャー登録情報１２２に基づいて、認識したジェスチャー８１に対応する操作指示を受け付ける。
【００２２】
ドキュメント切出部１４３は、操作受付部１４２により自端末に対するドキュメント８２の読み取りを指示する操作（読取操作）が受け付けられると、公知の画像認識技術を用いて視界画像８０からドキュメント（印刷物）８２を検出し、検出したドキュメントをドキュメント画像として視界画像８０から切り出す。ドキュメント８２は、文字や、図、模様等が記載された印刷物である。そして、ドキュメント切出部１４３は、切り出したドキュメント画像を操作受付部１４２により受け付けられた画像形成装置２に対する操作指示（印刷（モノクロ）や、保存（カラー）等）と共にドキュメントデータ１２４としてドキュメント記憶部１２３に保存する。なお、ドキュメント切出部１４３は、操作受付部１４２により動作開始を指示する操作が受け付けられると、視界画像８０に対するドキュメント８２の検出処理を開始し、操作受付部１４２により動作終了を指示する操作が受け付けられると、ドキュメント８２の検出処理を終了してもよい。ドキュメント切出部１４３は、視界画像８０を視界撮像部１１から取得してもよいし、操作受付部１４２から取得してもよい。
【００２３】
送信処理部１４４は、ドキュメント記憶部１２３に記憶されたドキュメントデータ１２４を通信部１３経由で画像形成装置２に送信する機能を有する。
【００２４】
次に、図４を参照して、画像形成装置２について説明する。本実施の形態の画像形成装置２は、操作パネル２１と、原稿読取部２２と、記憶部２３と、画像処理部２４と、印刷部２５と、通信部２６と、制御部２７とを備えている。
【００２５】
操作パネル２１は、タッチパネルと操作ボタンとを備えている。タッチパネルは、各種操作キーや画像形成状況を表示する表示部の表面に透明の感圧センサーが設けられており、表示手段及び入力手段として機能する。タッチパネルは、表示面へのタッチ操作を検知して、タッチ操作が検知された位置に対応する信号を出力することで、表示部に表示した操作キーへの操作を受け付ける。また、操作ボタンは、印刷枚数等の数値を入力するためのテンキー、設定情報を初期化させる指示を入力するためのリセットキー、複写動作を停止させるためのストップキー、印刷動作を開始させる出力指示を入力するためのスタートキー等の各種操作キーを備えている。
【００２６】
原稿読取部２２は、図示しない原稿給紙装置により給紙されてきた原稿や、ユーザーによってプラテンガラスに載置された原稿に対して光を照射し、その反射光等を受光して原稿画像を読み取るスキャナーである。
【００２７】
記憶部２３は、半導体メモリーやＨＤＤ等の記憶手段であり、原稿読取部２２によって読み取られた画像データや、通信部２６を介して受信された画像データ等が印刷データとして蓄積される記憶手段である。また、記憶部２３は、後述する画像変換部２７２によって変換された電子ファイルを記憶する。
【００２８】
画像処理部２４は、画像データに対して所定の画像処理を行う手段である。画像処理部２４では、例えば、拡大縮小処理や、濃度調整、階調調整等の画像改善処理が行われる。
【００２９】
印刷部２５は、記憶部２３に記憶された画像データを印刷する印刷手段である。印刷部２５は、例えば、記憶部２３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。印刷部２５は、モノクロ印刷だけでなく、カラー印刷が可能であってもよい。
【００３０】
通信部２６は、Ｂｌｕｅｔｏｏｔｈ（登録商標）やＷｉ−Ｆｉ（登録商標）、ＮＦＣ等の無線通信によって、メガネ型端末１や外部端末と各種データを送受信する機能を有する。他にも、通信部２６は、ＬＡＮケーブル等の有線ケーブルを介して外部端末と各種データを送受信する機能を有している。
【００３１】
制御部２７は、操作パネル２１、原稿読取部２２、記憶部２３、画像処理部２４、印刷部２５及び通信部２６にそれぞれ接続されている。制御部２７は、ＲＯＭ、ＲＡＭ等を備えたマイクロコンピュータ等の情報処理部である。ＲＯＭには画像形成装置２の動作制御を行うための制御プログラムが記憶されている。制御部２７は、ＲＯＭに記憶されている制御プログラムを読み出し、制御プログラムをＲＡＭに展開させることで、装置全体の制御を行う。また、制御部２７は、ドキュメント処理部２７１と、画像変換部２７２として機能する。
【００３２】
ドキュメント処理部２７１は、通信部２６がメガネ型端末１からドキュメントデータ１２４を受信すると、受信したドキュメントデータ１２４に含まれる自装置に対する操作指示に従って、ドキュメントデータ１２４に含まれるドキュメント画像を処理する機能を有する。例えば、ドキュメント処理部２７１は、自装置に対する操作指示が印刷指示である場合に、印刷指示に基づいて印刷部２５によりドキュメント画像を印刷する。また、ドキュメント処理部２７１は、印刷指示がモノクロである場合、画像処理部２４によりドキュメント画像をモノクロ画像に階調調整してから印刷することができる。また、ドキュメント処理部２７１は、自装置に対する操作指示が保存指示である場合に、保存指示に基づいて画像変換部２７２によりドキュメント画像を特定形式の電子ファイルに変換して記憶部２３に保存する。
【００３３】
画像変換部２７２は、保存指示に基づいてドキュメント画像を特定形式（例えばｊｅｐｇ、ｇｉｆ、ｐｄｆ等）の電子ファイルに変換して記憶部２３に保存する機能を有する。
【００３４】
次に、図５〜図７を参照して、本実施形態の画像形成システム１００の動作の流れを説明する。
【００３５】
図５を参照して、メガネ型端末１は、例えば不図示の電源ボタンがＯＮされたり、撮影開始を指示する不図示の撮影ボタンが操作されたりすることにより、視界撮像部１１が撮影を開始する（ステップｓ１１）。つづいて、操作受付部１４２が、視界撮像部１１から図６に示す視界画像８０を取得して、ユーザーのジェスチャー８１を認識するためのジェスチャー認識処理を実行する（ステップｓ１２）。これにより、操作受付部１４２は、例えば単位時間当たりの視界画像８０のそれぞれからユーザーの指先８３を検出し、指先８３の軌跡をジェスチャー登録情報１２２に登録されているジェスチャーと照合することで、ユーザーのジェスチャー８１を認識することができる。単位時間当たりの視界画像８０は、不図示のバッファーメモリーに蓄積されてもよいし、記憶部１２に蓄積されてもよい。
【００３６】
つづいて、操作受付部１４２は、図６（ａ）に示すように、認識したジェスチャー８１が「○」であるか否かを判断する（ステップｓ１３）。認識したジェスチャー８１が「○」である場合（ステップｓ１３でＹｅｓ）、操作受付部１４２は、ジェスチャー登録情報１２２に基づいて、動作開始の操作指示を受け付ける（ステップｓ１４）。認識したジェスチャー８１が「○」以外である場合は（ステップｓ１３でＮｏ）、ステップｓ１２に処理が戻る。
【００３７】
操作受付部１４２は、動作開始の操作指示を受け付けると、再び視界撮像部１１から視界画像８０を取得して、ジェスチャー認識処理を実行する（ステップｓ１５）。
【００３８】
つづいて、操作受付部１４２は、図６（ｂ）に示すように、認識したジェスチャー８１が「レ」であるか否かを判断する（ステップｓ１６）。認識したジェスチャー８１が「レ」である場合（ステップｓ１６でＹｅｓ）、操作受付部１４２は、ジェスチャー登録情報１２２に基づいて、読取／印刷（モノクロ）の操作指示を受け付ける（ステップｓ１７）。
【００３９】
操作受付部１４２により読取／印刷（モノクロ）の操作指示が受け付けられると、ドキュメント切出部１４３は、読取指示に従って、視界画像８０からドキュメント８２を検出して、検出したドキュメント８２をドキュメント画像として切り出す（ステップｓ１８）。つづいて、ドキュメント切出部１４３は、切り出したドキュメント画像に印刷（モノクロ）の操作指示（印刷指示）を関連付けてドキュメントデータ１２４として記憶部１２に保存し（ステップｓ１９）、ステップｓ１５に処理を戻す。
【００４０】
一方、操作受付部１４２は、認識したジェスチャー８１が「レ」でない場合（ステップｓ１６でＮｏ）、図６（ｃ）に示すように、認識したジェスチャー８１が「△」であるか否かを判断する（ステップｓ２０）。認識したジェスチャー８１が「△」である場合（ステップｓ２０でＹｅｓ）、操作受付部１４２は、読取／保存（カラー）の操作指示を受け付ける（ステップｓ２１）。
【００４１】
操作受付部１４２により読取／保存（カラー）の操作指示が受け付けられると、ドキュメント切出部１４３は、読取指示に従って、視界画像８０からドキュメント８２を検出して、検出したドキュメント８２をドキュメント画像として切り出す（ステップｓ２２）。つづいて、ドキュメント切出部１４３は、切り出したドキュメント画像に保存（カラー）の操作指示（保存指示）を関連付けてドキュメントデータ１２４として記憶部１２に保存し（ステップｓ２３）、ステップｓ１５に処理を戻す。
【００４２】
一方、操作受付部１４２は、認識したジェスチャー８１が「△」でない場合（ステップｓ２０でＮｏ）、図６（ｄ）に示すように、認識したジェスチャー８１が「□」であるか否かを判断する（ステップｓ２４）。認識したジェスチャー８１が「□」である場合（ステップｓ２４でＹｅｓ）、操作受付部１４２は、動作終了の操作指示を受け付ける（ステップｓ２５）。認識したジェスチャー８１が「□」でない場合、ステップｓ１５に処理が戻り、ユーザーは継続してジェスチャー８１により操作指示を出すことができる。
【００４３】
つづいて、図７を参照して、メガネ型端末１の送信処理部１４４は、通信部１３を介して、画像形成装置２と通信可能か否かを判断する（ステップｓ２６）。
【００４４】
なお、メガネ型端末１に画像形成装置２との通信の開始を指示する操作部を設けてもよい。この場合、送信処理部１４４は、この操作部によって通信の開始が指示されたタイミングで通信部１３により画像形成装置２との通信を試みてもよい。また、画像形成装置２の操作パネル２１からメガネ型端末１との通信の開始を指示することもできる。
【００４５】
メガネ型端末１が画像形成装置２の設置場所から離れたところにあり、画像形成装置２が通信部１３の通信圏外である場合（ステップｓ２６でＮｏ）、送信処理部１４４は、ステップｓ２６に戻り、ユーザーの移動等で画像形成装置２が通信部１３の通信圏内になるまで待機する（ステップｓ２６、ステップｓ２６でＮｏ）。この場合、送信処理部１４４は、未送信のドキュメントデータ１２４をドキュメント記憶部１２３に保管したままにしておく。
【００４６】
一方、画像形成装置２と通信可能になると（ステップｓ２６でＹｅｓ）、送信処理部１４４は、ドキュメント記憶部１２３に保存されている未送信のドキュメントデータ１２４を無線通信により画像形成装置２に送信する（ステップｓ２７）。つづいて、送信処理部１４４は、記憶部１２から送信済みのドキュメントデータ１２４を削除し（ステップｓ２８）、本処理を終了する。
【００４７】
画像形成装置２のドキュメント処理部２７１は、通信部２６を介してメガネ型端末１からドキュメントデータ１２４を受信するまで待機する（ステップｓ３１、ステップｓ３１でＮｏ）。通信部２６がメガネ型端末１からドキュメントデータ１２４を受信すると（ステップｓ３１でＹｅｓ）、ドキュメント処理部２７１は、ドキュメントデータ１２４に含まれる操作指示に従って、ドキュメントデータ１２４に含まれるドキュメント画像を処理する（ステップｓ３２）。
【００４８】
これにより、ドキュメント処理部２７１は、例えば操作指示が印刷（モノクロ）であれば、画像処理部２４によりドキュメント画像の階調をモノクロに変換して、印刷部２５を介してドキュメント画像のモノクロ印刷を実行する。また、例えば操作指示が保存（カラー）であれば、ドキュメント処理部２７１は、画像変換部２７２を介してドキュメント画像をｊｐｅｇ、ｇｉｆ又はｐｄｆ等の特定形式の電子ファイルとして記憶部２３に保存する。ドキュメントデータ１２４に対する処理が終了すると、画像形成装置２は本処理を終了する。
【００４９】
このように、本実施形態のメガネ型端末１は、画像形成装置２と無線通信する通信部１３を有し、ユーザーが装着するメガネ型端末１であって、操作指示とジェスチャーを対応付けて記憶する設定記憶部１２１と、ユーザーの前方視界の画像を撮像する視界撮像部１１と、撮像された画像に基づいてジェスチャーを認識することで、操作指示を受け付ける操作受付部１４２と、操作受付部１４２で受け付けられた操作指示がドキュメントの読取指示である場合に、画像から印刷物を検出してドキュメント画像として切り出すドキュメント切出部１４３と、切り出されたドキュメント画像を記憶するドキュメント記憶部１２３と、記憶されたドキュメント画像を通信部１３経由で画像形成装置２に送信する送信処理部１４４とを備えている。これにより、ユーザーはメガネ型端末１を装着した状態で、コピーを取りたい資料を見ながら指先で簡単なジェスチャーをすることで、現在見ている資料のドキュメント画像を画像形成装置２に送信して、簡単にコピーしたり保存したりすることができる。
【００５０】
また、送信処理部１４４は、画像形成装置２が通信部１３の通信圏外である場合、未送信のドキュメントデータをドキュメント記憶部１２３に保管しておき、画像形成装置２が通信部１３の通信圏内になったときに、ドキュメント記憶部１２３から未送信のドキュメントデータを画像形成装置２に送信する。そのため、確実に画像形成装置２にドキュメントデータを送信することができる。
【００５１】
また、メガネ型端末１は、操作指示に対応付けるジェスチャーの登録を受け付けるジェスチャー登録部１４１を備えているので、ユーザーが好みのジェスチャーを操作指示に対応付けることができる。
【００５２】
さらに、操作指示は、メガネ型端末１に対するドキュメントの読取指示と共に、画像形成装置２に対するドキュメント画像の印刷指示を含む場合があり、送信処理部１４４は、操作指示が印刷指示を含んでいる場合、記憶されたドキュメント画像と共に印刷指示を画像形成装置２に送信する。また、操作指示は、メガネ型端末１に対するドキュメントの読取指示と共に、画像形成装置２に対するドキュメント画像の保存指示を含む場合があり、送信処理部１４４は、操作指示が保存指示を含んでいる場合、記憶されたドキュメント画像と共に保存指示を画像形成装置２に送信する。そのため、ユーザーは、ドキュメント画像が画像形成装置２に送信された後に、画像形成装置２に対してドキュメント画像を処理するための操作指示を別途出す必要がない。また、１つのジェスチャーにメガネ型端末１に対する操作指示と画像形成装置２に対する操作指示とを含ませることができるので、ジェスチャー操作が簡単である。
【００５３】
なお、メガネ型端末１は、操作受付部１４２が認識したジェスチャー８１や受け付けた操作指示の１つ以上をユーザーに報知する報知部をさらに備えてもよい。図８は、新たに報知部を備えたメガネ型端末５の外観図である。メガネ型端末５は、メガネ型端末１に報知部が追加されたものであり、その他はメガネ型端末１と同一構成となっている。報知部は、例えば、図８に示すようにメガネ型端末５のユーザーの眼球の直前に位置するハーフミラー５１を表示画面として有し、ハーフミラー５１に画像光を投影することで、操作受付部１４２が認識したジェスチャー８１や受け付けた操作指示をユーザーが視認可能に表示してもよい。また、報知部は、操作受付部１４２が認識したジェスチャー８１や受け付けた操作指示のそれぞれを、区別可能に音で報知するスピーカー５２や、点灯や点滅パターンにより区別可能に報知するＬＥＤ５３を有してもよい。
【００５４】
本発明は上述した実施の形態に限定されるものではなく、本発明の趣旨を逸脱しない範囲で種々様々に変更が可能であることは言うまでもない。
【符号の説明】
【００５５】
１、５  メガネ型端末
２  画像形成装置
１１  視界撮像部
１２  記憶部
１３  通信部（端末側通信部）
１４  制御部
２１  操作パネル
２２  原稿読取部
２３  記憶部
２４  画像処理部
２５  印刷部
２６  通信部（装置側通信部）
２７  制御部
８０  視界画像
８１  ジェスチャー
８２  ドキュメント
８３  指先
５１  ハーフミラー（報知部）
５２  スピーカー（報知部）
５３  ＬＥＤ（報知部）
１００  画像形成システム
１２１  設定記憶部
１２２  ジェスチャー登録情報
１２３  ドキュメント記憶部
１２４  ドキュメントデータ
１４１  ジェスチャー登録部
１４２  操作受付部
１４３  ドキュメント切出部
１４４  送信処理部
２７１  ドキュメント処理部
２７２  画像変換部
【図１】
2018067875.tif 000003
【図２】
2018067875.tif 000004
【図３】
2018067875.tif 000005
【図４】
2018067875.tif 000006
【図５】
2018067875.tif 000007
【図６】
2018067875.tif 000008
【図７】
2018067875.tif 000009
【図８】
2018067875.tif 000010